(57)【要約】【課題】風雨対策の養生期間を短縮し、効率良くドライウェル用のモジュールを構築して原子炉格納容器に搬入するドライウェルの構築方法、およびこれを用いた原子炉格納容器の建設方法を提供する。【解決手段】原子炉格納容器１６のドライウェル（上部ドライウェル２６）の構築方法であって、前記ドライウェルの上端を形成する板状のトップスラブライナ３０に取り付けるスプレイ配管５２を現地地組ヤード６４の所定位置に配置し、前記トップスラブライナ３０を現地地組ヤード６４に配置するとともにｓプレイ配管５２を前記トップスラブライナ３０の下面に取り付け、前記トップスラブライナ３０をスプレイ配管５２とともに吊り上げて前記ドライウェルの上端となる位置に取り付けることを特徴とする。【選択図】図１
2014174013.tif 000002
【特許請求の範囲】
【請求項１】
原子炉格納容器のドライウェルの構築方法であって、
前記ドライウェルの上端を形成する板状のトップスラブライナに取り付ける設備機器部品を仮置き場の所定位置に配置し、
前記トップスラブライナを前記仮置き場に配置するとともに前記設備機器部品を前記トップスラブライナの下面に取り付け、
前記トップスラブライナを前記設備機器部品とともに吊り上げて前記ドライウェルの上端となる位置に取り付けることを特徴とするドライウェルの構築方法。
【請求項２】
前記トップスラブライナを前記仮置き場に配置する前に、前記仮置き場において前記設備機器部品の設計位置に前記設備機器部品を置くための仮受荷台を配置し、
前記設備機器部品をクレーンにより搬入して前記仮受荷台に配置し、
前記トップスラブライナを前記設備機器部品上部に配置して前記設備機器部品を前記トップスラブライナに取り付けることを特徴とする請求項１に記載のドライウェルの構築方法。
【請求項３】
前記原子炉格納容器の前記ドライウェルの取り付け位置を覆う仮設屋根を配置し、
前記設備機器部品の前記トップスラブライナへの取り付け完了後に、前記仮設屋根を吊り上げて前記トップスラブライナ上に移動させ、
前記仮設屋根に接続した複数のワイヤーを前記トップスラブライナに接続し、
前記仮設屋根を吊り上げて前記ドライウェルの取り付け位置の上方に移動させることにより、前記トップスラブライナを前記ドライウェルの上端における設計位置に移動させることを特徴とする請求項１または２に記載のドライウェルの構築方法。
【請求項４】
前記トップスラブライナの上面に、前記トップスラブライナを補強する補強部材を取り付け、
前記ワイヤーを前記補強部材に取り付けることを特徴とする請求項３に記載のドライウェルの構築方法。
【請求項５】
請求項１乃至４のいずれか１項に記載のドライウェルの構築方法を用いた原子炉格納容器の建設方法であって、
前記トップスラブライナの下面に接続されるとともに前記トップスラブライナの上面に露出するスタッドを有する金物に前記設備機器部品を接続し、
前記トップスラブライナを前記ドライウェルの上端となる位置に取り付けたのちに前記トップスラブライナ上に前記原子炉格納容器の外壁と一体となるコンクリートを打設して前記スタッドを前記コンクリートに埋め込ませることを特徴とする原子炉格納容器の建設方法。
【請求項６】
前記補強部材を、その高さ方向の途中で水平方向に屈曲させた態様で形成して前記コンクリートに埋め込ませることを特徴とする請求項５に記載の原子炉格納容器の建設方法。
【発明の詳細な説明】
【技術分野】
【０００１】
本発明は、原子力発電所の原子炉格納容器のドライウェルの構築方法、及びこれを用いた原子炉格納容器の建設方法に関する。
【背景技術】
【０００２】
改良型沸騰水型原子力発電における鉄筋コンクリート製の原子炉格納容器のうち、上部ドライウェルには、配管（スプレイ配管）、弁、サポート、ケーブルトレイ、空調ダクト、ストラクチャー、架台等の設備機器部品が据付設定される。このため、原子炉格納容器の建設においては、工期短縮のために現地地組ヤードにて、これらの設備機器部品を一体にしてモジュール化しておき、これを大型のクローラクレーンで上部ドライウェルに搬入することが行なわれている（特許文献１参照）。
【先行技術文献】
【特許文献】
【０００３】
【特許文献１】特許第３２８３７３５号公報
【発明の概要】
【発明が解決しようとする課題】
【０００４】
しかし、このようなモジュールは、海岸近くに建設される発電所の建屋外（前述の現地地組ヤード）で構築するため、設備機器部品が塩分を含んだ風雨に曝されないための養生を行なう必要がある。さらに、養生を行なうことにより、設備機器部品同士の接続・組立ての作業効率が低下する問題がある。
【０００５】
そこで、本発明は、上記問題点に着目し、風雨対策の養生期間を短縮し、効率良くドライウェル用のモジュールを構築して原子炉格納容器に搬入するドライウェルの構築方法、およびこれを用いた原子炉格納容器の建設方法を提供することを目的とする。
【課題を解決するための手段】
【０００６】
上記目的を達成するため、本発明に係るドライウェルの構築方法は、原子炉格納容器のドライウェルの構築方法であって、前記ドライウェルの上端を形成する板状のトップスラブライナに取り付ける前記設備機器部品を仮置き場の所定位置に配置し、前記トップスラブライナを前記仮置き場に配置するとともに設備機器部品を前記トップスラブライナの下面に取り付け、前記トップスラブライナを前記設備機器部品とともに吊り上げて前記ドライウェルの上端となる位置に取り付けることを特徴とする。
【０００７】
上記方法により、設備機器部品は板状のトップスラブライナの下面の取り付け位置に配置されるため、その後のトップスラブライナと設備機器部品との接続・組立作業が効率良く行なえる。また、トップスラブライナが設備機器部品用の風雨対策の養生となるため、作業もし易く、工期短縮を行なえる。
【０００８】
本発明において、前記トップスラブライナを前記仮置き場に配置する前に、前記仮置き場において前記設備機器部品の設計位置に前記設備機器部品を置くための仮受荷台を配置し、前記設備機器部品をクレーンにより搬入して前記仮受荷台に配置し、前記トップスラブライナを前記設備機器部品上部に配置して前記設備機器部品を前記トップスラブライナに取り付けることを特徴とする。
上記方法により、トップスラブライナ配置前に設備機器部品をクレーンにより搬入することができる。
【０００９】
本発明において、前記原子炉格納容器の前記ドライウェルの取り付け位置を覆う仮設屋根を配置し、前記設備機器部品の前記トップスラブライナへの取り付け完了後に、前記仮設屋根を吊り上げて前記トップスラブライナ上に移動させ、前記仮設屋根に接続した複数のワイヤーを前記トップスラブライナに接続し、前記仮設屋根を吊り上げて前記ドライウェルの取り付け位置の上方に移動させることにより、前記トップスラブライナを前記ドライウェルの上端における設計位置に移動させることを特徴とする。
【００１０】
上記方法により、特別に吊り天秤を製作（準備）することなくトップスラブライナを、仮設屋根を介して吊り上げることができる。また、ドライウェル内にトップスラブライナを設置後は、仮設屋根を再び屋根として利用することで、コスト低減が行なえる。
【００１１】
本発明において、前記トップスラブライナの上面に、前記トップスラブライナを補強する補強部材を取り付け、前記ワイヤーを前記補強部材に取り付けることを特徴とする。
上記方法により、トップスラブライナの破損を防止することができる。
【００１２】
また、本発明に係る原子炉格納容器の建設方法は、前述のドライウェルの構築方法を用いた原子炉格納容器の建設方法であって、前記トップスラブライナの下面に接続されるとともに前記トップスラブライナの上面に露出するスタッドを有する金物に前記設備機器部品を接続し、前記トップスラブライナを前記ドライウェルの上端となる位置に取り付けたのちに前記トップスラブライナ上に前記原子炉格納容器の外壁と一体となるコンクリートを打設して前記スタッドを前記コンクリートに埋め込ませることを特徴とする。
【００１３】
上記方法により、トップスラブライナ及び設備機器部品は金物を介してコンクリートに支持されることになるので、トップスラブライナ及び設備機器部品を簡易な方法で支持することができる。
【００１４】
本発明において、前記補強部材を、その高さ方向の途中で水平方向に屈曲させた態様で形成して前記コンクリートに埋め込ませることを特徴とする。
上記方法により、補強部材がコンクリートに係止されることになるので、トップスラブライナのコンクリートに対する結合をより強固にすることができる。
【発明の効果】
【００１５】
本発明に係るドライウェルの構築方法によれば、予め設備機器部品が仮置き場において設計位置に配置されているため、短い工期で設備機器部品をトップスラブライナの下面に取り付けることができ、また、その間トップスラブライナが設備機器部品用の風雨の養生となるために、取付・組立作業の効率を高めることができる。また、本発明に係る原子炉格納容器の建設方法によれば、トップスラブライナ及び設備機器部品は金物を介してコンクリートに支持されることになるので、トップスラブライナ及び設備機器部品を簡易な方法で支持することができる。
【図面の簡単な説明】
【００１６】
【図１】本実施形態の原子炉格納容器を包含する原子炉建屋の模式図である。
【図２】本実施形態のモジュールの平面図である。
【図３】本実施形態のモジュールの底面図である。
【図４】本実施形態のモジュールの部分詳細図（断面図）である。
【図５】本実施形態のドライウェルの取り付け工程（建屋形成工程）を示す図である。
【図６】本実施形態のドライウェルの取り付け工程（モジュール形成工程、図２のＡ−Ａ線断面図）を示す図である。
【図７】本実施形態のドライウェルの取り付け工程（屋根をモジュールに接続する工程）を示す図である。
【図８】本実施形態のドライウェルの取り付け工程（モジュールの吊り上げ工程）を示す図である。
【図９】本実施形態のドライウェルの取り付け工程（モジュールの上部ドライウェルへの取り付け工程）を示す図である。
【図１０】本実施形態のモジュールの部分詳細図（コンクリート打設後）である。
【発明を実施するための形態】
【００１７】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１８】
図１に本実施形態に係る原子炉格納容器を包含する原子炉建屋の模式図を示す。図１に示すように、原子炉建屋１０は、鉄筋コンクリートで建造され、その内部に原子炉建屋１０と一体となった原子炉格納容器１６が形成されている。
【００１９】
原子炉格納容器１６（ＲＣＣＶ）は、その直径が３０ｍ程度の円筒形の構造物であり、その中央部分（下部ドライウェル２２）には、原子炉圧力容器１２（ＲＰＶ）を搭載するＲＰＶペデスタル２４（設備機器部品）が設けられている。ＲＰＶペデスタル２４上方には、原子炉格納容器ヘッド１４が原子炉圧力容器１２を覆うように設けられている。
【００２０】
原子炉格納容器１６は、高い圧力及び振動に十分耐えるよう、床面、壁面とも、全体が厚い鉄筋コンクリート構造となっている。原子炉格納容器１６の内部は、ダイアフラムフロア１８を境に、それより下の部分がサプレッションチャンバ２０及び下部ドライウェル２２となっており、それより上の部分が上部ドライウェル２６となっている。
【００２１】
上部ドライウェル２６は、ダイアフラムフロア１８を底面とし、後述のようにコンクリート６６が打設されるトップスラブライナ３０を上面とし、その中央に原子炉圧力容器１２が挿通可能な円筒形の形状の開口部を有している。また上部ドライウェル２６の側壁と原子炉圧力容器１２の間の内部空間には、スプレイ配管５２等の設備機器部品が配置される。
【００２２】
原子炉建屋１０は、コンクリートの打設により構築するので、下の部分から上の部分に向かって順に構築される。これに合わせて、原子炉格納容器１６においては、ダイアフラムフロア１８の構築前に、サプレッションチャンバ２０及び下部ドライウェル２２内に配置される設備機器部品を、それぞれのチャンバの上部の開口部から搬入することができる。また上部ドライウェル２６において、トップスラブライナ３０を取り付ける前に、上部ドライウェル２６内に配置する設備機器部品を上部ドライウェル２６の上部の開口部から搬入することができる。
【００２３】
ところで、上部ドライウェル２６に配置される設備機器部品はモジュール化して搬入することが効率的であるが、上部ドライウェル２６内に配置する設備機器部品が増えるほど、上部ドライウェル２６内の仮受荷台（不図示）も増大することになる。このため、仮受荷台（不図示）と設備機器部品との干渉を考慮に入れる必要が生じ、作業負担が増大する。
【００２４】
そこで、本実施形態では、上部ドライウェル２６（ドライウェル）の上端を形成する板状のトップスラブライナ３０に取り付けるスプレイ配管５２（設備機器部品）を現地地組ヤード６４（仮置き場、図６）の所定位置に配置し、トップスラブライナ３０を現地地組ヤード６４に配置するとともにスプレイ配管５２をトップスラブライナ３０の下面に取り付ける。そして、トップスラブライナ３０をスプレイ配管５２とともに吊り上げて上部ドライウェル２６の上端となる位置に取り付ける方法を採用している。より詳細には、予め現地地組ヤードにおいて、設計データを基にして、現地地組ヤード６４におけるスプレイ配管５２の配置位置を測量して、仮受荷台５３（図６）を配置し、スプレイ配管５２（後述の円弧配管５４）をクローラクレーン６２（図５）で搬入・配置した後に、スプレイ配管５２の上部にトップスラブライナ３０を配置している。
【００２５】
この方法により、設備機器部品は板状のトップスラブライナ３０の下面の取り付け位置に配置されるため、その後のトップスラブライナ３０と設備機器部品との接続・組立作業が効率良く行なえる。また、トップスラブライナ３０が設備機器部品用の風雨対策の養生となるため、作業もし易く、工期短縮を行なえる。さらに、設備機器部品はトップスラブライナ３０に吊り下げられた状態で支持されることになるので、仮受荷台（不図示）を削減若しくは省略して、設備機器部品の取り付けの自由度を高めることができる。
【００２６】
図２、３に本実施形態のモジュールの模式図（平面図、側面図）を示す。また、図４に、本実施形態のモジュールの部分詳細図（断面図）を示す。本実施形態において、モジュール２８は、主にトップスラブライナ３０、設備機器部品であるスプレイ配管５２により構成される。
【００２７】
トップスラブライナ３０は、その中心に原子炉圧力容器１２が通過する挿通孔３２が形成されたリング型の板状の部材であり、トップスラブライナ３０の外形（骨組み）を形成する補強部材３４（チャンネル）と、補強部材３４に接続されトップスラブライナ３０と同一の外形を有するリング型の板状のプレート３６により構成される。金属製の補強部材３４は、トップスラブライナ３０の外縁と内縁（挿通孔３２の縁）に沿ったリング状の部分と、リング状の部分に囲まれた領域で一直線に延びるとともに一定の間隔で平行に並んでリング状の部分に接続された直線部分とを有する。
【００２８】
補強部材３４のリング状の部分は、円弧状の部品（不図示）を直列に接続して形成し、補強部材３４の直線部分も直線状の部品（不図示）を直列に接続して形成することができる。図４に示すように、補強部材３４は、その断面がコの字型となっており、その開口部が横向きになっている。図２、図３に示すように、金属製のプレート３６は、複数の金属製の板材３８により形成され、補強部材３４のリング状の部分に囲まれた領域をモザイク状に埋めるように補強部材３４に接続されたものである。
【００２９】
スプレイ配管５２は、原子炉圧力容器１２の周囲を囲むように形成されたリング状の配管であるが、円弧配管５４を直列にフランジ接続（または溶接）して円弧配管５４を周回接続させることにより形成される。また、円弧配管５４（スプレイ配管５２）は、板材３８に取り付けられた金物４４に溶接等により接続される。
【００３０】
図４等に示すように、金物４４は、プレート３６（板材３８）の下面に接続されスプレイ配管５２に接続するパッド４６と、パッド４６から延出し板材３８を貫通して（後述の挿通孔４０を挿通して）板材３８の上面に露出するスタッド４８を有する。スタッド４８は、鉛直方向に延びる部材であって、その先端は、先端以外の部分よりも直径の大きい円板部５０となっている。またプレート３６（板材３８）には、パッド４６よりも小さく、かつスタッド４８（円板部５０）を挿通可能な挿通孔４０が設けられている。挿通孔４０は、平面視で補強部材３４と干渉しない位置に取り付けられる。
【００３１】
よって金物４４を板材３８に取り付けると、スタッド４８（円盤部５０）が板材３８の上面に露出するとともに、挿通孔４０はパッド４６により封止される。なお、金物４４は、スプレイ配管５２を構成する円弧配管５４の個数と同数配置して、円弧配管５４から延出したロッド５４ａをパッド４６に接続できるようにすることが望ましい。
【００３２】
図５乃至図９に、本実施形態のドライウェルの取り付け工程を示す。本実施形態の原子炉格納容器１６の建設方法について説明する。まず、図５に示すように、原子炉建屋１０を、コンクリートの打設により原子炉格納容器１６（図１参照）の上端となる位置（上部ドライウェル２６の上部が開口した状態）まで構築する。この場合、原子炉建屋１０の下の部分から上の部分に向かって順に構築する。
【００３３】
これに合わせて、原子炉格納容器１６においては、ダイアフラムフロア１８の構築前に、サプレッションチャンバ２０及び下部ドライウェル内２２に設備機器部品を配置する。そして、コンクリートの打設により上部ドライウェル２６を構築し、上部ドライウェル２６を覆う円形の仮設屋根５８を配置して上部ドライウェル２６の養生を行う。なお、仮設屋根５８の直径は、仮設屋根５８がトップスラブライナ３０を覆うことができるように、トップスラブライナ３０の直径と同程度かそれ以上であることが望ましい。また、仮設屋根５８は、本実施形態のモジュール２８を吊り上げ支持出来る程度の剛性を有する限り形状や材質は問わない。
【００３４】
図６（図２のＡ−Ａ線断面図）に示すように、現地地組ヤード６４においては、モジュール２８（トップスラブライナ３０）を支持する支柱５６を立設する。また、トップスラブライナ３０を現地地組ヤード６４に配置する前に、現地地組ヤード６４において円弧配管５４（スプレイ配管５２）の設計位置に円弧配管５４を置くための仮受荷台５３を配置する。次いで、円弧配管５４をクローラクレーン６４（図５）等により搬入して仮受荷台５３に配置する。また円弧配管５４の上部には、トップスラブライナ３０に円弧配管５４を取り付けるための金物４４を取り付ける。
【００３５】
トップスラブライナ３０を構成する板材３８（図４）を支柱５６上に配置するとともに、円弧配管５４の上方となる板材３８（予め挿通孔４０を形成しておく）の挿通孔４０に金物４４のスタッド４８に挿通させて（図４参照）、板材３８を金物４４のパッド４６上面に取り付ける（図４参照）。そして、互いに隣接する板材３８同士を接続してプレート３６を構築する。また、補強部材３４を構成する部品（前述の円弧状の部品、及び直線状の部品）を板材３８上に配置し、部品同士を接続することにより補強部材３４を構築し、これをプレート３６に接続することにより、モジュール２８が構築される。
【００３６】
上記工程を経て形成されたモジュール２８は、この支柱５６の上端、及び仮受荷台５３上に載置され、組み上げ後は現地地組ヤード６４から浮いた状態で移動可能となる。このとき、作業者は、このモジュール２８（トップスラブライナ３０、スプレイ配管５２）に不具合があるか否か検査し、不具合箇所があった場合は修理する。
【００３７】
上記工程においては、トップスラブライナ３０を複数の区画に分割し、区画ごとに板材３８の配置（金物４４の接続）、板材３８同士の接続、補強部材３４の部品の接続、板材３８と補強部材３４との接続という作業を行い、これを区画ごとに順に（または同時に）行っていけばよい。また、支柱５６は、その上端がほぼ同じ高さとなるように調整し、補強部材３４に接続前の板材３８を支持可能な間隔で複数立設する必要がある。さらに、上記工程においては、作業者用の足場を用意して作業を円滑に行えるようにする。また、トップスラブライナ３０の周縁と現地地組ヤード６４の間は、更にビニールシート等で覆って風雨に対する養生を行うことが望ましい。
【００３８】
本実施形態のモジュール２８は、クローラクレーン６２（ワイヤー６０）等により吊り上げるが、安定的に吊り上げる必要がある。そこで、本実施形態では、この上部ドライウェル２６を覆う仮設屋根５８をモジュール２８用の吊天秤として用いる。一方、図６に示すように、トップスラブライナ３０の剛性を考慮するとモジュール２８のワイヤー６０の取り付け位置は補強部材３４となるため、この補強部材３４に、ワイヤー６０を取り付けるためのワイヤー取り付け部４２を複数取りつける。
【００３９】
そして、クローラクレーン６２で仮設屋根５８を吊り上げ（図５）、仮設屋根５８をモジュール２８の上方となる位置（モジュール２８を覆う位置）にまで搬送する（図７）。このとき、クローラクレーン６２と仮設屋根５８とは、ワイヤー６０の仮設屋根５８の取り付け位置を分散させた状態で複数のワイヤー６０により接続し、仮設屋根５８が安定的に吊り上げ可能となるようにする。
【００４０】
そして、図７に示すように、仮設屋根５８とモジュール２８（トップスラブライナ３０）をワイヤー６０で接続する。その際、仮設屋根５８とモジュール２８とは、ワイヤー６０のモジュール２８の取り付け位置（ワイヤー取り付け部４２）を分散させた状態で複数のワイヤー６０により接続し、モジュール２８が安定的に吊り上げ可能となるようにする。
【００４１】
この状態で、仮設屋根５８を吊り上げることによりモジュール２８を吊り上げ（図８）、モジュール２８を上部ドライウェル２６の上端となる位置にまで搬送し（図９）、モジュール２８（トップスラブライナ３０）を上部ドライウェル２６の開口部を封止するように配置してスプレイ配管５２を上部ドライウェル内に収容する。そして、スプレイ配管５２を上部ドライウェル２６内に既に配置された他の設備機器部品（不図示）に接続する。上述のモジュール２８を構築する最中では、仮設屋根５８が上部ドライウェル２６の風雨に対する養生を行うことができる。そして、モジュール２８の構築後は、トップスラブライナ３０を、仮設屋根５８を吊天秤として用いて安定的に吊り上げることができる。
【００４２】
その後、トップスラブライナ３０上部への機器の据え付け及び原子炉格納容器１６と一体となるコンクリート６６の打設などが終了したら仮設屋根５８を撤去する。これにより、原子炉格納容器１６の外形が形成される。最後に、原子炉圧力容器１２を挿通孔３２から導入してＲＰＶペデスタル２４に搭載するとともに原子炉格納容器ヘッド１４を搬入し、原子炉建屋１０の原子炉格納容器１６より上となる部分をコンクリートの打設等により構築することにより、原子炉建屋１０が構築される（図１）。
【００４３】
図１０に、本実施形態のモジュールの部分詳細図（コンクリート打設後）を示す。図１０に示すように、トップスラブライナ３０上にコンクリート６６を打設すると、スタッド４８（円盤部５０）と、補強部材３４（チャンネル）がコンクリート６６に埋め込まれる。これにより、円板部５０がコンクリート６６に係止され、トップスラブライナ３０及びスプレイ配管５２が金物４４を介してコンクリート６６に支持され、コンクリート６６打設後は、トップスラブライナ３０にはスプレイ配管５２からの荷重がかかることはない。
【００４４】
また、本実施形態では、補強部材３４を、その高さ方向の途中で水平方向に屈曲させた態様（コの字型）で形成してコンクリート６６に埋め込ませている。これにより、補強部材３４がコンクリート６６に係止されることになるので、トップスラブライナ３０のコンクリート６６に対する結合をより強固にすることができる。
【００４５】
本実施形態においては、上部ドライウェル２６の上端を形成するトップスラブライナ３０を用いてスプレイ配管５２を包含するモジュール２８を構築したが、スプレイ配管５２以外の他の設備機器部品をトップスラブライナ３０に接続してモジュール２８を構築してもよい。
【００４６】
また、本実施形態は、上部ドライウェル２６のみならず、下部ドライウェル２２やサプレッションチャンバ２０にも適用可能である。すなわち、下部ドライウェル２２及びサプレッションチャンバ２０の上端に、トップスラブライナ３０と同様の構成の構造物を適用するものとし、その構造物を用いたモジュール（設備機器部品が接続されている）を現地地組ヤード６４で構築し、そのモジュールを下部ドライウェル２２及びサプレッションチャンバ２０の上端となる位置に配置したのち、ダイアフラムフロア１８を形成するコンクリート６６をそのモジュール上に打設すればよい。
【００４７】
また、本実施形態では、トップスラブライナ３０を、支柱５６及び仮受荷台５３を用いて現地地組ヤード６４から浮かせた状態でモジュールを構築したが、現地地組ヤード６４のスプレイ配管５２の配置位置に穴（溝）を形成し、現地地組ヤード６４の地面と、穴に配置したスプレイ配管に取り付けた金物４４のパッド４６の上面とが同じ高さになるようにしてもよい。
【産業上の利用可能性】
【００４８】
風雨対策の養生期間を短縮し、効率良くドライウェル用のモジュールを構築して原子炉格納容器に搬入するドライウェルの構築方法、およびこれを用いた原子炉格納容器の建設方法として利用できる。
【符号の説明】
【００４９】
１０………原子炉建屋、１２………原子炉圧力容器、１４………原子炉格納容器ヘッド、１６………原子炉格納容器、１８………ダイアフラムフロア、２０………サプレッションチャンバ、２２………下部ドライウェル、２４………ＲＰＶペデスタル、２６………上部ドライウェル、２８………モジュール、３０………トップスラブライナ、３２………挿通孔、３４………補強部材、３６………プレート、３８………板材、４０………挿通孔、４２………ワイヤー取り付け部、４４………金物、４６………パッド、４８………スタッド、５０………円板部、５２………スプレイ配管、５３………仮受荷台、５４………円弧配管、５６………支柱、５８………仮設屋根、６０………ワイヤー、６２………クローラクレーン、６４………ヤード、６６………コンクリート。
【図１】
2014174013.tif 000003
【図２】
2014174013.tif 000004
【図３】
2014174013.tif 000005
【図４】
2014174013.tif 000006
【図５】
2014174013.tif 000007
【図６】
2014174013.tif 000008
【図７】
2014174013.tif 000009
【図８】
2014174013.tif 000010
【図９】
2014174013.tif 000011
【図１０】
2014174013.tif 000012